(57)【要約】【課題】培地充填袋の袋開口部を簡易な構成で迅速に封止すると共に一様に折り曲げた嵩張らない状態で後工程に迅速に受け渡すことが可能な培地充填袋の封止折曲げ装置を提供する。【解決手段】袋開閉部５は一対の挿入板５ｄを袋開口部Ｐ２へ挿入して開閉させることで袋開口部Ｐ２を開口させ、エア吸引部６は開口した袋開口部Ｐ２よりエア吸引を行って封止する。また、一対の押圧板７ａにより袋開口部Ｐ２が挟み込まれたまま袋押出し部８は培地充填袋Ｐを封止位置Ｑより押し出すことにより袋開口部Ｐ２を一方向に折り曲げた状態で嵩張らない状態で後工程に搬出する。【選択図】図１
2019047751.tif 000002
【特許請求の範囲】
【請求項１】
培地が充填されて加圧成形された培地充填袋が封止位置へ搬入され、袋開口部へ一対の挿入板を進退移動及び開閉移動可能に備える袋開閉部と、
前記一対の挿入板の前記袋開口部への進退動作及び開閉動作に伴って前記培地充填袋内のエア吸引を行って封止するエア吸引部と、
前記エア吸引部のエア吸引動作に伴って前記培地充填袋を介して各々対向配置された一対の押圧板を前記袋開口部の外側より押圧して挟み込む袋押圧部と、
前記一対の挿入板が前記袋開口部から退避し、封止された前記袋開口部が前記一対の押圧板により挟み込まれたまま前記培地充填袋を前記封止位置より押し出して前記袋開口部を一方向に折り曲げる袋押出し部と、を具備したことを特徴とする培地充填袋の封止折曲げ装置。
【請求項２】
前記袋開口部内に互いに近接した前記一対の挿入板が挿入され、当該一対の挿入板が互いに離間する開放動作に連動して前記エア吸引部によるエア吸引が開始され、前記一対の挿入板が互いに近接する閉止動作に連動してエア吸引が停止される請求項１記載の培地充填袋の封止折曲げ装置。
【請求項３】
前記一対の押圧板の対向面には柱状のガイド部材が各々一体に組み付けられ、前記ガイド部材どうしが当接して前記袋開口部が挟み込まれ、当該袋開口部が前記一対のガイド部材に挟み込まれたまま前記袋押出し部により前記封止位置より押し出されて前記袋開口部が一方向に折り曲げられる請求項１又は請求項２記載の培地充填袋の封止折曲げ装置。
【請求項４】
前記ガイド部材は、前記挿入板の下端部より前記押圧板の鉛直下方に配置されており、前記一対の挿入板が前記袋開口部内で互いに近接する閉止動作に連動して前記一対の押圧板が前記袋開口部を両側から押圧する請求項３記載の培地充填袋の封止折曲げ装置。
【請求項５】
培地充填後の前記培地充填袋を整列して前記封止位置へ搬入する袋搬入部と、
前記培地充填袋の袋開口部が封止され一方向に折り曲げられた当該培地充填袋を後工程へ搬出する袋搬出部を備えている請求項１乃至請求項４のいずれか１項記載の培地充填袋の封止折曲げ装置。
【発明の詳細な説明】
【技術分野】
【０００１】
本開示は、例えばフィルム状の袋に培地が充填された培地充填袋の袋開口部を封止して一方向に折り曲げる培地充填袋の封止折曲げ装置に関する。
【背景技術】
【０００２】
椎茸や舞茸などの茸を栽培する方法として、フィルム状の袋に培地を充填した培地を殺菌してから種菌を植菌して袋に封をして温度湿度を管理して栽培することが行われている。
このとき、ガゼット状に折り畳まれたフィルム状の袋を自動機で１枚ずつピックアップして開口させ、培地を充填し、加圧するとともに種菌入植用の凹部を成形して取り出す茸栽培用ブロックの製造装置が提案されている（特許文献１：特許第２５９２７８４号公報）。
【０００３】
上記装置は、フィルム状の袋を垂直姿勢で開口させたまま培地充填が行われて取り出されるため、後工程で袋の開口を閉じて殺菌工程に移行する必要がある。この作業を手作業で行うとすれば、培地充填工程から殺菌工程への移行が遅延して作業効率が低下するため、自動機により袋開口部を閉じることが望ましい。
例えば菌床栽培袋の開口を３か所の挟着具で狭着した後、水平折り曲げ機構により両側の狭着具を水平回転機構により１２０度回転させて三角形状に折り曲げると共に垂直折り曲げ機構により狭着具を上昇させながら垂直回転機構により垂直姿勢から水平姿勢に姿勢変更させることで袋上部を水平方向に折り曲げ、両側の狭着具で挟まれている袋を溶着することで折り畳む菌床栽培袋の折り畳み装置が提案されている（特許文献２：特許第３５１２３９０号公報参照）。
【先行技術文献】
【特許文献】
【０００４】
【特許文献１】特許第２５９２７８４号公報
【特許文献２】特許第３５１２３９０号公報
【発明の開示】
【発明が解決しようとする課題】
【０００５】
種菌接種前の培地充填袋は、殺菌してから種菌を接種するまでの間に雑菌が混入しないように袋開口部を閉じておきたいというニーズがある。上述した菌床栽培袋の折り畳み装置は、培地に種菌接種後に袋開口部を折り畳む際の自動機であり、上記ニーズに応えるものではない。
また、上記折り畳み装置は、水平回転機構を備えた水平折り曲げ機構が垂直回転機構を備えた垂直折り曲げ機構に搭載されており両者の複合動作により袋口を水平方向に折り曲げるようになっている。このため、構造が複雑で重量物化して装置が大型化する。また、水平折り曲げ動作と垂直折り曲げ動作に要する装置の可動域が大きくなるため、接地面積を要すると共に生産効率が低下するおそれがある。更には、水平方向に折り曲げられた三角状の袋口を両側から溶着するので、コストがかさむという課題もあるうえに種菌接種後の最終工程で用いられるため用途も限られる。
【課題を解決するための手段】
【０００６】
以下の実施例で述べる開示は、これらの課題を解決すべくなされたものであり、その目的とするところは、培地充填袋の袋開口部を簡易な構成で迅速に封止すると共に一様に折り曲げた嵩張らない状態で後工程に迅速に受け渡すことが可能な培地充填袋の封止折曲げ装置を提供することにある。
【０００７】
上記目的を達成するため、以下の実施例に適用される開示は少なくとも次の構成を備える。
培地が充填されて加圧成形された培地充填袋が封止位置へ搬入され、袋開口部へ一対の挿入板を進退移動及び開閉移動可能に備える袋開閉部と、前記一対の挿入板の前記袋開口部への進退動作及び開閉動作に伴って前記培地充填袋内のエア吸引を行って封止するエア吸引部と、前記エア吸引部のエア吸引動作に伴って前記培地充填袋を介して各々対向配置された一対の押圧板を前記袋開口部の外側より押圧して挟み込む袋押圧部と、前記一対の挿入板が前記袋開口部から退避し、封止された前記袋開口部が前記一対の押圧板により挟み込まれたまま前記培地充填袋を前記封止位置より押し出して前記袋開口部を一方向に折り曲げる袋押出し部と、を具備したことを特徴とする。
【０００８】
上記構成によれば、袋開閉部は一対の挿入板を袋開口部へ挿入して開閉させることで袋開口部を開口させ、エア吸引部は開口した袋開口部よりエア吸引を行うので袋開口部を瞬時に封止することができる。また、一対の押圧板により袋開口部が挟み込まれたまま袋押出し部は培地充填袋を封止位置より押し出すことにより袋開口部を一方向に折り曲げた状態で嵩張らない状態で後工程に搬出することができる。よって、種菌接種前の培地充填袋を、殺菌してから種菌を接種するまでの間に雑菌が混入しないように袋開口部を閉じておくことができる。
【０００９】
前記袋開口部内に互いに近接した前記一対の挿入板が挿入され、当該一対の挿入板が互いに離間する開放動作に連動して前記エア吸引部によるエア吸引が開始され、前記一対の挿入板が互いに近接する閉止動作に連動してエア吸引が停止されることが好ましい。
これにより、一対の挿入板を袋開口部内に挿入して開放することで袋開口部を確実に開口させることができ、かつこの開放動作に連動してエア吸引部によりエア吸引を行うことで袋開口部を瞬時に封止でき、一対の挿入板が互いに近接する閉止動作に連動してエア吸引が停止されるので、袋開口部を折り畳んだ状態で封止することができる。
【００１０】
前記一対の押圧板の対向面には柱状のガイド部材が各々一体に組み付けられ、前記ガイド部材どうしが当接して前記袋開口部が挟み込まれ、当該袋開口部が前記一対のガイド部材に挟み込まれたまま前記袋押出し部により前記封止位置より押し出されて前記袋開口部が一方向に折曲げられることが好ましい。
これにより、一対の押圧板が袋開口部を挟み込む際に対向面に設けられたガイド部材により袋開口部が挟み込まれる。袋開口部が一対のガイド部材に挟み込まれたまま袋押出し部により封止位置より押し出されるので、押圧板の板面で挟持される場合に比べて、袋開口部が一方向に折り曲げられる際に、袋が破損するのを防ぐことができる。また、袋開口部がガイド部材どうしで挟み込まれても一対の押圧板どうしの対向面には隙間があるため、一対の挿入板を一対の押圧板と干渉することなく袋開口部より抜き取ることができる。
【００１１】
前記ガイド部材は、前記挿入板の下端部より前記押圧板の鉛直下方に配置されており、前記一対の挿入板が前記袋開口部内で互いに近接する閉止動作に連動して前記一対の押圧板が前記袋開口部を両側から押圧することが好ましい。
これにより、袋内に挿入された一対の挿入板と一対の押圧板が干渉することなく袋開口部の外側から挟み込むことができる。
【００１２】
培地充填後の前記培地充填袋を整列して前記封止位置へ搬入する袋搬入部と、前記培地充填袋の袋開口部が封止され一方向に折り曲げられた当該培地充填袋を後工程へ搬出する袋搬出部を備えていることが好ましい。
これにより、培地充填袋への培地充填作業から袋開口部の封止及び袋開口部の一方向への折り曲げ動作を自動化して行うことができる。
【発明の効果】
【００１３】
上述した培地充填袋の封止折曲げ装置を用いれば、培地充填袋の袋開口部を簡易な構成で迅速に封止すると共に一様に折り曲げた嵩張らない状態で、後工程に迅速に受け渡すことができる。
【図面の簡単な説明】
【００１４】
【図１】培地充填袋の封止折曲げ装置の袋搬出部の側面図である。
【図２】培地充填袋の封止折曲げ装置の袋搬入部の側面図である。
【図３】培地充填袋の封止折曲げ装置の平面透視レイアウト図である。
【図４】培地充填袋の封止折曲げ工程を示す模式図である。
【図５】図４に続く培地充填袋の封止折曲げ工程を示す模式図である。
【図６】図５に続く培地充填袋の封止折曲げ工程を示す模式図である。
【図７】図６に続く培地充填袋の封止折曲げ工程を示す模式図である。
【発明を実施するための形態】
【００１５】
以下、本発明に係る培地充填袋の折曲げ装置の実施形態について、添付図面を参照しながら説明する。培地充填袋Ｐとしては、例えば一端に開口を有しガゼット折りされたポリプロピレン製の袋等が用いられる。また、培地としては例えば椎茸や舞茸などの栽培用としておが粉等が用いられる。
【００１６】
図３において、培地充填袋の封止折曲げ装置の概略構成について平面レイアウト図を参照して説明する。以下では、培地充填装置１によって培地充填袋Ｐに培地が充填された後の工程を中心に説明する。培地充填袋Ｐは、袋内底部側に培地が充填された培地充填部Ｐ１とその上方が空間部となっている袋開口部Ｐ２が形成されている。また、袋両側部にはガゼット折された折り目Ｐ３が形成されている（図６Ｅ参照）。
搬入用コンベア装置２（袋搬入部）は、培地充填装置１によって培地充填後の培地充填袋Ｐが互いの折り目Ｐ３が搬送方向に沿って縦列状に並ぶように整列して封止折曲げ装置３の封止位置Ｑへ搬入される。搬入用コンベア装置２は搬入用モータ２ａにより無端ベルト２ｂを周回して回転駆動するようになっている（図２参照）。また、封止折曲げ装置３には、搬出用コンベア装置４（袋搬出部）が封止位置Ｑに接続するように設けられている。搬出用コンベア装置４は、培地充填袋Ｐの袋開口部Ｐ２が閉止された当該培地充填袋Ｐを培地殺菌工程等の後工程へ搬出する。搬出用コンベア装置４は搬出用モータ４ａにより無端ベルト４ｂが周回して搬送されるようになっている（図１参照）。
【００１７】
次に封止折曲げ装置３の具体的な構成について図１及び図２を参照して説明する。図１は図３の右方から見た封止位置Ｑを含む断面説明図であり、図２は図３の下方から見た封止位置Ｑを含む断面説明図である。
図１において培地が充填されて加圧成形された培地充填袋Ｐが搬入用コンベア装置２によって整列しながら封止位置Ｑへ搬入される。図２において搬入用コンベア装置２の長手方向左端側に培地充填装置１が設けられている。搬入用コンベア装置２の長手方向右端は封止折曲げ装置３の内部まで延設されており、この右端位置が封止位置Ｑとなる。
【００１８】
封止位置Ｑの上方には、袋開閉部５が設けられている。袋開閉部５は、袋開口部Ｐ２より一対の挿入板を鉛直方向に進退移動かつ水平方向に開閉移動可能に備えている。具体的には、装置フレーム３ａ（天面部）には、上下動シリンダ５ａが吊り下げ支持されている。この上下動シリンダ５ａのシリンダロッド５ｂには可動ベース部５ｃが連結支持されている。可動ベース部５ｃには、一対の挿入板５ｄが開閉シリンダ５ｅ（例えばロッドレスシリンダ等）により水平移動可能に設けられている。各挿入板５ｄはＬ字状をしており、可動ベース部５ｃ内にスライド可能に支持される水平板部５ｄ１と鉛直下方に垂下する垂下板部５ｄ２を備えている。可動ベース部５ｃに組み付けられた開閉シリンダ５ｅを作動させることにより、垂下板部５ｄ２どうしが近接した位置と垂下板部５ｄ２どうしが離間した位置とで一対の挿入板５ｄを開閉動作させるようになっている。
【００１９】
また、袋開閉部５にはエア吸引部６が接続されている。具体的には、一対の挿入板５ｄの水平移動動作に伴って培地充填袋Ｐの袋開口部Ｐ２内のエア吸引を行って封止する。装置フレーム３ａの底部には、リングブロワ６ａが設けられており、図示しない吸引ホースにより可動ベース部５ｃと連結されている。可動ベース部５ｃは、密閉された筐体状に形成されている。可動ベース部５ｃの側部には側部吸引口５ｆが開口している。また、一対の挿入板５ｄの水平板部５ｄ１は、可動ベース部５ｃの底部に設けられた底部吸引口５ｇを開閉するようになっている（図３参照）。
【００２０】
袋押圧部７は封止位置Ｑに供給された培地充填袋Ｐの袋開口部Ｐ２の両側に配置されている。具体的には、一対の押圧板７ａが押圧シリンダ７ｃのシリンダロッド７ｂに起立した状態で支持されている。一対の押圧板７ａは、培地充填袋Ｐ内に挿入された一対の挿入板５ｄと培地充填袋Ｐを介して各々対向配置されている。押圧シリンダ７ｃを作動させると一対の押圧板７ａを袋外より一対の挿入板５ｄに向かって培地充填袋Ｐの袋開口部Ｐ２を挟み込むように押動する。
一対の押圧板７ａの対向面側の下端縁部には円柱状のガイド部材７ｄが各々一体に組み付けられている。一対の押圧板７ａが近接するとガイド部材７ｄどうしが当接して袋開口部Ｐ２が挟み込まれ、一対のガイド部材７ｄに挟み込まれたまま培地充填袋Ｐが後述する袋押出し部８により封止位置Ｑより押し出されると袋開口部Ｐ２が水平方向に折曲げられる。また、一対の押圧板７ａの袋搬入方向上流側（図４Ａ左端）には押圧板７ａどうしの間隔が漸進狭まるように逃げ部７ｅが形成されている。これにより、搬入用コンベア装置２によって封止位置Ｑへ搬入される培地充填袋Ｐの袋開口部Ｐ２が一対の押圧板７ａと干渉しないように搬入される。
【００２１】
袋押出し部８は、袋内のエアが吸引されて一対のガイド部材７ｄに袋開口部Ｐ２が挟み込まれた培地充填袋Ｐを搬入用コンベア装置２上の封止位置Ｑより搬出用コンベア装置４へ押し出す。
具体的には、装置フレーム３ａには押出しシリンダ８ｃが水平姿勢で固定されている。押出シリンダ８ｃのシリンダロッド８ｂには押出板８ａが垂直姿勢で設けられている。培地充填袋Ｐが封止位置Ｑで一対の押圧板７ａにより押圧され、一対のガイド部材７ｄによって袋開口部Ｐ２が挟み込まれると、押出シリンダ８ｃが作動して押出板８ａにより封止位置Ｑにある培地充填袋Ｐの培地充填部Ｐ１を搬出用コンベア装置４に向かって押し出す。
【００２２】
培地充填袋Ｐの袋開口部Ｐ２内に互いに近接した一対の挿入板５ｄが挿入され、当該一対の挿入板５ｄが互いに離間する開放動作に連動してエア吸引部６によるエア吸引が開始され、一対の挿入板５ｄが互いに近接する閉止動作に連動してエア吸引が停止されるようになっている。
これにより、一対の挿入板５ｄを袋開口部Ｐ２内に挿入して開放することで袋開口部Ｐ２を確実に開口させることができ、かつこの開放動作に連動してエア吸引部６によりエア吸引を行い一対の挿入板５ｄが互いに近接する閉止動作に連動してエア吸引が停止されるので、袋内のエアを確実に吸引して袋開口部Ｐ２を封止することができる。
【００２３】
図１に示すように、一対の押圧板７ａの対向面には円柱状のガイド部材７ｄが各々一体に組み付けられている。このガイド部材７ｄどうしが当接して袋開口部Ｐ２が挟み込まれ、当該袋開口部Ｐ２が一対のガイド部材７ｄに挟み込まれたまま袋押出し部８により封止位置Ｑより押し出されて袋開口部Ｐ２が一方向に折曲げられる。
これにより、一対の押圧板７ａが袋開口部Ｐ２を挟み込む際に対向面に設けられたガイド部材７ｄにより袋開口部Ｐ２が挟み込まれる。袋開口部Ｐ２が一対のガイド部材７ｄに挟み込まれたまま袋押出し部８により封止位置Ｑより押し出されて袋開口部Ｐ２が一方向に折り曲げられる際に、押圧板７ａの板面で挟持される場合に比べて、袋が破損するのを防ぐことができ、また、袋開口部Ｐ２がガイド部材７ｄどうしに挟み込まれても一対の押圧板７ａどうしの対向面には隙間があるため、一対の挿入板５ｄを一対の押圧板７ａと干渉することなく袋開口部Ｐ２より抜き取ることができる。
【００２４】
ガイド部材７ｄは、挿入板５ｄの下端部より押圧板７ａの鉛直下方に配置されている。一対の挿入板５ｄが袋開口部Ｐ２内で互いに近接する閉止動作に連動して一対の押圧板７ａが袋開口部Ｐ２を両側から押圧することが好ましい。
これにより、一対の押圧板７ａが袋内に挿入された一対の挿入板５ｄと干渉することなく袋開口部Ｐ２の外側から挟み込むことができる。
【００２５】
図１に示すように、一対の挿入板５ｄは、エア吸引路を形成する可動ベース部５ｃ内に水平方向に接離動可能に支持されている。一対の挿入板５ｄが互いに近接した位置で袋開口部Ｐ２に向かうエア吸引路が閉止され、互いに離間するとエア吸引路が開口するようになっている。これにより、一対の挿入板５ｄの開閉位置により培地充填袋Ｐ内のエア吸引動作のオンオフの切り替えが行えるので、培地充填袋Ｐの袋開口部Ｐ２の開閉を迅速に行うことができる。
【００２６】
ここで、培地充填袋Ｐに対する封止折曲げ装置３の袋開口部Ｐ２の封止折り曲げ動作の一例について、図４乃至図７を参照して説明する。
図４Ａ，Ｂ、図５Ｃ，Ｄ，搬入用コンベア装置２の側方から見た封止折曲げ装置３の模式図、図４Ａ´，Ｂ´、図５Ａ´，Ｂ´、図６Ｅ，Ｆ、図７Ｇ，Ｈは、搬出用コンベア装置４の側方から見た封止折曲げ装置３の模式図である。
図４Ａ、Ａ´において、培地が充填された培地充填袋Ｐは、搬入用コンベア装置２により封止折曲げ装置３の封止位置Ｑへ搬送される。このとき、袋開閉部５の一対の挿入板５ｄは近接した状態で封止位置Ｑの上方に待機しており、袋押圧部６の一対の押圧板７ａは両側に退避（離間した）位置にある。
【００２７】
図４Ｂ，Ｂ´において、培地充填袋Ｐが封止位置Ｑまで搬送されると、搬入用コンベア装置２の搬送動作を停止させ、図１に示す上下動シリンダ５ａを作動させてシリンダロッド５ｂに支持された可動ベース部５ｃ及び一対の挿入板５ｄを下降させる。
【００２８】
図５Ｃ，Ｃ´において、一対の挿入板５ｄが培地充填袋Ｐの袋開口部Ｐ２内に挿入されると、開閉シリンダ５ｅ（図１参照）を作動させて一対の挿入板５ｄを袋内で両側に離間させて培地充填袋Ｐを大きく開口させる。また、エア吸引部６を作動させ、リングブロワ６ａにより袋内のエア吸引動作を開始する。このとき、図５Ｄ，Ｄ´に示すように、可動ベース部５ｃ内でスライドする水平板部５ｄ１により閉止されていた底部吸引口５ｇが開口するため、袋内のエアは底部吸引口５ｇより可動ベース部５ｃ内を経て側部吸引口５ｆから図示しない吸引ホースを通じてリングブロワ６ａに吸引される（図２参照）。
【００２９】
また、エア吸引部６のエア吸引動作を開始すると、開閉シリンダ５ｅ（図１参照）を作動させて一対の挿入板５ｄを袋内で近接する向きにスライドさせると共に、袋押圧部７を作動させる。即ち、図５Ｄ，Ｄ´に示すように、押圧シリンダ７ｃを作動させて一対の押圧板７ａにより袋外側を押圧する。
【００３０】
図６Ｅに示すように、エア吸引部６によりエア吸引動作を開始すると、ガゼット折されていた培地充填袋Ｐは袋の折り目Ｐ３に沿って袋開口部Ｐ２が封止される。また、開閉シリンダ５ｅ（図１参照）を作動させて一対の挿入板５ｄを近接する向きに水平移動させる。更には押圧シリンダ７ｃにより一対の押圧板７ａにより袋外側から押圧することで、培地充填袋Ｐの培地充填部Ｐ１の近傍をガイド部材７ｄに押し当てて袋開口部Ｐ２を挟み込む。ガイド部材７ｄは、円柱状をしているため、袋外面に沿って摺動しても袋が破損することはない。
【００３１】
また、図６Ｆに示すように、開閉シリンダ５ｅが一対の挿入板５ｄの垂直板部５ｄ２が互いに近接すると、水平板部５ｄ１が底部吸引口５ｇを閉じてエア吸引動作は終了する。また、一対の押圧板７ａがガイド部材７ｄを通じて袋開口部Ｐ２を挟み込むと、上下動シリンダ５ａ（図１参照）を作動させて一対の挿入板５ｄは可動ベース部５ｃと共に上昇し袋外へ移動する。一対の挿入板５ｄと袋開口部Ｐ２との間は大気圧に解放されるので、一対の挿入板５ｄを培地充填袋Ｐより抜き出すことができる。尚、一対の挿入板５ｄが上昇するタイミングは、水平板部５ｄ１が底部吸引口５ｇを閉じた後であれば、一対の押圧板７ｄのガイド部材７ｄどうしが当接するタイミングと同時であっても、当接するタイミングの前後でもいずれでもよい。また、一対の挿入板５ｄが袋外に退避すると、袋押出し部８が作動する。
【００３２】
図７Ｇに示すように、押出シリンダ８ｃが作動して押出板８ａにより培地充填袋Ｐの培地充填部Ｐ１を袋外より押動することで、培地充填袋Ｐを封止位置Ｑ（搬入用コンベア装置２）から搬出用コンベア装置４（図３参照）へ押し出す。これにより、培地充填袋Ｐは、袋開口部Ｐ２が一対のガイド部材７ｄ間に挟み込まれたまま袋開口部Ｐ２がガイド部材７ｄをガイドとして押出方向後方に折り曲げられる。また、一対の押圧板７ａは、押圧シリンダ７ｃにより互いに離間する向きに移動する。
【００３３】
図７Ｈは、袋押圧部７の一対の押圧板７ａが離間して待機位置に戻り、袋押出し部８の押出板８ａが押出シリンダ８ｃにより待機位置に戻った状態を示す。これにより搬入用コンベア装置２により搬入される次の培地充填袋Ｐを受け入れることができる。例えば、培地充填袋Ｐが搬入用コンベア装置２に縦列して搬送される場合、およそ培地充填装置１の培地充填工程と同期をとって６秒に１個の速さで培地充填袋Ｐに封止折曲げ作業を行って後工程に搬送することができる。
【００３４】
上述した培地充填袋の封止折曲げ装置３を用いれば、袋開閉部５は一対の挿入板５ｄを袋開口部Ｐ２へ挿入して開閉させることで袋開口部Ｐ２を開口させ、エア吸引部６は開口した袋開口部Ｐ２よりエア吸引を行うので袋開口部Ｐ２を瞬時に封止することができる。また、一対の押圧板７ａにより袋開口部Ｐ２が挟み込まれたまま袋押出し部８は培地充填袋Ｐを封止位置Ｑより押し出すことにより袋開口部Ｐ２を一方向に折り曲げた状態で嵩張らない状態で後工程に搬出することができる。よって、種菌接種前の培地充填袋Ｐを、殺菌してから種菌を接種するまでの間に雑菌が混入しないように袋開口部Ｐ２を閉じておくことができる。
【００３５】
上記実施形態では、袋開閉部５、袋押圧部７、袋押出し部８の駆動源としてエアシリンダを用いたが、他の駆動源（モータ、ソレノイド等）であってもよい。
【符号の説明】
【００３６】
１  培地充填装置  Ｐ  培地充填袋  Ｐ１  培地充填部  Ｐ２  袋開口部  Ｐ３  折り目  ２  搬入用コンベア装置  ２ａ  搬入用モータ  ２ｂ  無端ベルト  ３  封止折曲げ装置  ３ａ  装置フレーム  Ｑ  封止位置  ４  搬出用コンベア装置  ４ａ  搬出用モータ  ４ｂ  無端ベルト  ５  袋開閉部  ５ａ  上下動シリンダ  ５ｂ  シリンダロッド  ５ｃ  可動ベース部  ５ｄ  挿入板  ５ｄ１  水平板部  ５ｄ２  垂直板部  ５ｅ  開閉シリンダ  ５ｆ  側部吸引口  ５ｇ  底部吸引口  ６  エア吸引部  ６ａ  リングブロワ  ７  袋押圧部  ７ａ  押圧板  ７ｂ  シリンダロッド  ７ｃ  押圧シリンダ  ７ｄ  ガイド部材  ７ｅ  逃げ部  ８  袋押出し部  ８ａ  押出板  ８ｂ  シリンダロッド  ８ｃ  押出シリンダ
【図１】
2019047751.tif 000003
【図２】
2019047751.tif 000004
【図３】
2019047751.tif 000005
【図４】
2019047751.tif 000006
【図５】
2019047751.tif 000007
【図６】
2019047751.tif 000008
【図７】
2019047751.tif 000009